(57)【特許請求の範囲】
【請求項１】
第１の鏡体を、遊技機内部の発射機構により遊技機枠体前面の発射レール上に発射される遊技球の発射位置近傍に対向して、発射された遊技球の移動経路を避けた配置で、前記発射機構を固定した発射機構基板とは別の発射レール基板に設けるとともに、第２の鏡体を、遊技機前面側に遊技球を保留する上皿部材の内部に設け、該上皿部材の上面に窓部を設け、前記発射位置近傍を前記第１の鏡体に映し、該第１の鏡体に映る像を前記第２の鏡体に反射させて、前記窓部を介し外部から視認可能としたことを特徴とする遊技機。
【発明の詳細な説明】
【０００１】
【発明の属する技術分野】
本発明は、パチンコ機等の遊技機に関し、特に、鏡体を利用した遊技機内部状態確認手段に関する。
【０００２】
【従来の技術】
パチンコ機においては、前枠本体の前面にガラス枠と上皿部材とが開閉可能に装着されている。そして、前枠本体の下部前面には下皿部材が一体的に形成されている。また、前枠本体には、上皿部材の後方となる位置に盤取付部材が設けられ、この盤取付部材に支持されて、ガラス枠の後方となる位置に遊技盤が脱着可能に固定されている。そして、盤取付部材には、アウト球を受け入れる開口部分が上面に形成され、この開口部分に受け入れたアウト球を島設備側へ返却するアウト球排出経路が内部に形成されている。また、この盤取付部材の前面側には、発射レールを固定した発射レール基板が取り付けられている。
【０００３】
上皿部材は、発射レールを固定した発射レール基板が取り付けられている盤取付部材を前面側から覆うように配置されるもので、前枠本体への取付け部を構成するヒンジ部が設けられた金属製の腰板を備え、この腰板には、背面側（即ち、盤取付部材側）に、後述の発射槌の動作に連動して遊技球を発射レール上の発射位置へ１個づつ送球する整流器が設けられるとともに、前面側（即ち、遊技機前面側）に、賞球払出ユニットや貸球払出ユニットから排出された遊技球を保留し、その保留した遊技球を整列させて整流器へ供給する上受け皿が設けられている。そして、上受け皿の一端上部には、整流器内に入った遊技球を下皿方向へ案内させるよう整流器内の球抜きスライダを連動させる上皿球抜きボタンが設けられている。
【０００４】
そして、前枠本体の下部裏面には、先端部が金属製のコイルバネからなる打撃槌を発射ハンドルの操作に応じて旋回させ槌撃動作させるよう構成された発射機構を固定した発射機構基板が取り付けられている。打撃槌は、発射機構未作動状態において先端部が発射レール上の発射位置に臨むよう設けられている。そのような構成を採用した発射機構として、特開２００１−１２９１６５号公報には、発射位置にある遊技球と叩打時における打撃槌の旋回軌道とが特定の位置関係となるよう構成することにより、球飛び方向を安定させ、遊技球を遊技盤面の所望の位置に打出すようにしたというものが提案されている。
【０００５】
また、従来の遊技機において、前枠本体の背面側には、島設備から供給される遊技球を払い出し用として一時的に多数貯留するための球貯留空間を構成する球タンクや、球タンク内の遊技球を賞球払出ユニットや貸球払出ユニットへ向けて案内し、所定のタイミング（賞球払出時や貸球払出時）で所定の位置（上受け皿への排出口）まで遊技球を払い出すよう球タンクの下流側に球供給経路を形成するタンクレールやケースレール等を固定した裏機構板が、開閉可能に取り付けられている。
【０００６】
【発明が解決しようとする課題】
ところで、上記公報記載のような構成の従来の発射装置では、打撃槌の先端部がコイルバネなどの弾性体からなっていて、発射位置にある遊技球を叩打するときに変形するとともに、遊技球からの反力を受けることになり、そのために、打撃槌の先端部に塑性変形が生じたり、打撃槌本体に対する先端部の取り付け位置がずれる場合があり、そうした場合に、発射位置にある遊技球に対し、打撃槌の先端位置がずれて、発射方向にムラが生じるという不具合が発生する。更にまた、遊技機本体の一部である前枠本体に固定される発射機構は、定期的（例えば３ヶ月に一回程度）に交換される遊技盤に比べて、交換なしで長期（例えば３年）にわたって使用されるため、経時的変化により上記の不具合が一層助長される。そのため、遊技店においては、打撃槌の先端部の状態、発射レールに対する打撃槌（又はその先端部）の位置、発射レール上の発射位置にある遊技球に対する打撃槌の位置など、発射位置近傍の状態を適時確認する必要がある。
【０００７】
しかしながら、上記公報記載の遊技機を含む従来の発射機構の取付構造では、遊技機が稼働状態にあるときは、上皿部材が閉じた状態で、発射レール及び打撃槌が前枠本体側の盤取付部材と上皿部材との間に位置するため、発射位置近傍の状態を外部から見ることは困難であり、発射位置と打撃槌との正確な位置関係を把握することができない。また、上皿部材を開放すれば、発射位置近傍の状態を確認することも可能であるが、この場合は、上皿部材から整流器を介して送球される遊技球を発射レールへ供給することは不可能で、発射球が存在しない状態（空打ち状態）での打撃槌の動作並びに位置関係しか確認することができない。勿論、その場合でも、人手により１個づつ遊技球を発射位置に載置して発射させつつ確認することとは可能であるが、それは非常に煩雑な作業となる。そして、敢えてそれを行っても、発射レールに案内された遊技球の揺れ具合等の状態や、遊技球が供給されるタイミングと叩打時の打撃槌が打撃位置へ到達するタイミングとの関係など、整流器から発射レール上の発射位置に供給される遊技球の供給状態を確認することはできない。
【０００８】
そこで、遊技機の稼働状態において遊技球内部の発射位置近傍の状態を外部から容易に確認できるようにすることが要求される。
【０００９】
また、遊技機の球タンクは、上部を開放して内部を球貯留空間とした箱体であって、底部に球出口が形成されて、この球出口からタンクレールへと遊技球が流下するよう構成され、球出口は、球出口に向かう遊技球が整列するよう形成されているものの、タンクレールのレール幅（２条分）に対応する比較的小さな幅で開口するものであるため、球出口の開口位置近傍で球詰まり状態となる場合があり、そうした場合に、賞球払出ユニット及び貸球払出ユニットへの遊技球の供給が遮断されるため、例えば入賞領域を遊技球が通過して賞球払出要求が発生しても遊技球が払い出されず、上受け皿へ遊技球が供給されないことになり、そうした状態を外部から直接見ることができないため、気づかずに遊技を続け、発射する遊技球が無くなって、遊技が中断されてしまう。
【００１０】
そこで、球タンク等、遊技中に外部から直接見ることができない遊技機内部背面側の特定部位の状態を稼働状態において容易に確認できるようにすることが要求される。
【００１１】
本発明は、こうした事情に鑑みてなされてもので、発射位置近傍の状態を、遊技機の稼働状態において外部から容易に確認できるようにすることを目的とする。
【００１２】
【課題を解決するための手段】
本発明の遊技機は、上記課題を解決するため、第１の鏡体を、遊技機内部の発射機構により遊技機枠体前面の発射レール上に発射される遊技球の発射位置近傍に対向して、発射された遊技球の移動経路を避けた配置で、発射機構を固定した発射機構基板とは別の発射レール基板に設けるとともに、第２の鏡体を、遊技機前面側に遊技球を保留する上皿部材の内部に設け、上皿部材の上面に窓部を設け、発射位置近傍を第１の鏡体に映し、第１の鏡体に映る像を第２の鏡体に反射させて、窓部を介し外部（遊技機外）から視認可能とした。
【００１３】
ここで、第１の鏡体は、発射位置近傍を映した像を第２の鏡体に向けて反射させるため、鏡面が発射位置近傍に向かう方向に対して特定の角度（例えば４５度）を成すように設け、また、第２の鏡体は、第１の鏡体に映る像を上皿部材上面の窓部に向けて反射させるため、鏡面が第１の鏡体に向かう方向に対して特定の角度（例えば４５度）を成すように設ける。
【００１４】
この場合、第１の鏡体の鏡面に発射位置近傍が映り、第２の鏡体の鏡面に第１の鏡体の鏡面の像が映り、それを窓部を介して外部から視認することができ、稼働可能な状態にて発射位置近傍の状態を確認できる。つまり、通常の稼働可能な状態（上皿部材を閉じた状態）にて、例えば発射球と打撃槌との位置関係を目視にて確認でき、打撃槌が発射球を叩打する状態、叩打された遊技球の発射状態や整流器から供給される遊技球の供給状態など、発射位置近傍の様子を、発射機構を動作させつつ目視にて確認することができる。その結果、発射機構の各部の調整が容易となり、発射不良に起因する不具合の進行を抑えることができる。
【００１５】
また、上皿部材の上面に設けた窓部から発射位置近傍の状態が見えるため、遊技を行っている遊技者が発射操作を行いながら発射位置近傍の状態を視認可能で、ファール球の発生や発射ムラなどの発射不良状態を遊技中の遊技者自らが確認することができ、そうした稼動中のパチンコ機に生じた発射不良状態を遊技者がいち早く発見して、遊技店の店員に知らせて、発射機構を調整してもらうなど、迅速に対処でき、発射不良による遊技者の不利益を最小限に抑えることができる。
【００１６】
なお、この場合、例えば上皿部材の腰板に開口部を形成し、上皿部材の腰板と発射レール基板との間は何も無い状態にするなど、発射位置近傍から第１鏡体及び第２鏡体を経て窓部に至る光路が確保されるようにする。
【００１７】
また、この場合、発射位置近傍から第１鏡体及び第２鏡体を経て窓部に至る光路上に、鏡体に映る発射位置近傍の像を、レンズ体を介して拡大または縮小させるレンズ体を設け、発射位置近傍の像が拡大されて窓部から視認できるようにしたり、縮小されてより広範囲に視認できるようにしてもよい。
【００１８】
また、この場合、発射位置近傍に臨む位置に、発射位置近傍を照らす照明装置を設けることができ、また、発射位置近傍を照らすよう外光を採り入れる採光窓を別途設けることができ、そうすることで、発射位置近傍を、より明るくして、一層正確に確認できる。
【００１９】
【発明の実施の形態】
以下、本発明の実施の形態を図面に基づいて説明する。
【００２０】
図１〜図７に本発明の実施の形態を示す。図１はこの実施の形態の遊技機のガラス枠および上皿部材を開放した状態の斜視図、図２は内部状態確認手段の鏡体および開口部の位置を示す発射機構および整流器の分解斜視図、図３は内部状態確認手段の鏡体の位置を示す発射機構の正面図、図４は内部状態確認手段の配置を示す要部分解斜視図、図５は内部状態確認手段の鏡体の構造を示す前面側斜視図（ａ）、背面側斜視図（ｂ）および分解斜視図（ｃ）、図６は内部状態確認手段の発射位置確認窓（窓部）の配置を示す上皿部材の上面図（ａ）および発射位置確認窓の拡大図（ｂ）、図７は内部状態確認手段の開口部を設けた上皿部材の正面図（ａ）および背面図（ｂ）である。
【００２１】
この実施の形態は、発射位置近傍の状態を拡大して、上受け皿の上面に設けた発射位置確認窓（窓部）から詳細に視認できるよう構成したものである。
【００２２】
この実施の形態の遊技機は、パチンコ機であって、図１に示すように、外枠１に対し開閉可能に取り付けられ前枠本体２の前面にガラス枠３と上皿部材４とが開閉可能に装着されている。なお、この遊技機は、外枠１と前枠本体２とで遊技機枠体が構成されている。そして、前枠本体２の下部前面には下皿部材５が一体的に形成されている。また、前枠本体２には、上皿部材４の後方となる位置に盤取付部材６が設けられ、この盤取付部材６に支持されて、ガラス枠３の後方となる位置に遊技盤（図示せず）が脱着可能に固定されている。そして、盤取付部材６には、アウト球を受け入れる開口部分７が上面に形成され、この開口部分７に受け入れたアウト球を島設備側へ返却するアウト球排出経路（図示せず）が内部に形成されている。また、この盤取付部材６の前面側には、発射レール８を固定した発射レール基板９が取り付けられている。
【００２３】
上皿部材４は、発射レール８を固定した発射レール基板９が取り付けられている盤取付部材６を前面側から覆うように配置されるもので、前枠本体２への取付け部を構成するヒンジ部１０が設けられた金属製の腰板１１を備え、この腰板１１には、背面側（即ち、盤取付部材６側）に、後述の発射槌の動作に連動して遊技球を発射レール８上の発射位置へ１個づつ送球する整流器１２が設けられるとともに、前面側（即ち、遊技機前面側）に、賞球払出ユニットや貸球払出ユニット（いずれも図示せず）から排出された遊技球を保留し、その保留した遊技球を整列させて整流器１２へ供給する上受け皿１３が設けられている。そして、上受け皿１３の一端上部には、整流器１２内に入った遊技球を下皿方向へ案内させるよう整流器１２内の球抜きスライダ（図示せず）を連動させる上皿球抜きボタン１４が設けられている。また、上皿部材４の正面に位置して、賞球および貸球払出ユニットからの排出球を貯留する上受け皿１３を囲むよう、腰板１１の一側（正面側すなわち遊技者側）に合成樹脂製の装飾カバー部材１５が取り付けられている。
【００２４】
また、前枠本体２の下部裏面には、先端部が金属製のコイルバネ２１からなる打撃槌２２を発射ハンドル２３の操作に応じて旋回させ槌撃動作させるよう構成された発射機構２４を固定した発射機構基板２５が取り付けられている。打撃槌２２は、発射機構２４未作動状態において先端部が発射レール８上の発射位置に臨むよう設けられている。
【００２５】
前枠本体２の背面側には、島設備から供給される遊技球を払い出し用として一時的に多数貯留するための球貯留空間を構成する球タンク（図示せず）や、球タンク内の遊技球を賞球払出ユニットや貸球払出ユニットへ向けて案内し、所定のタイミング（賞球払出時や貸球払出時）で所定の位置（上受け皿１３への排出口）まで遊技球を払い出すよう球タンクの下流側に球供給経路を形成するタンクレールやケースレール等（図示せず）を固定した裏機構板（図示せず）が、開閉可能に取り付けられている。
【００２６】
また、図１〜図４に示すように、発射レール８をネジ止め固定した金属製の発射レール基板９を前枠本体２側の盤取付部材６の所定箇所にネジ止め固定している。
【００２７】
以上は従来のパチンコ機と同様の構成である。そして、この実施の形態では、発射レール基板９に、図２〜図４に示すように、発射レール８の発射位置（正面視右端部分）と対向するよう、該発射位置の直上でかつ整流器１２の設置場所より上方に、発射側ミラー部材（第１の鏡体）３１を取り付けている。
【００２８】
ここで、発射側ミラー部材３１は、図５に示すように、合成樹脂からなる三角柱形状の取付本体３２と、この取付本体３２に固定される板状の反射鏡（鏡又は金属板）３３とからなり、取付本体３２の一側面に形成される取付凹部３４に反射鏡３３を嵌合させている。また、発射側ミラー部材３１の取付本体３２の他の一側面には、四隅に嵌合凸部３６が設けられている。一方、レール取付基盤９の所定位置に貫通孔（図示省略）が形成されている。そして、その発射レール基板９の貫通孔に上記嵌合凸部３６を圧入することにより発射側ミラー部材３１が取り付けられている。
【００２９】
また、上皿部材４の腰板１１には、図１〜図７に示すように、発射レール基板９に固定された発射側ミラー部材３１に対向する部分（整流器１２の上側部分）に開口部３７が形成されている。そして、この開口部３７には、板状に成形された合成樹脂製の凸レンズ部材（レンズ体）３８が嵌合されている。また、上受け皿１３には、図６に示すように、上皿球抜きボタン１４の近傍に長方形状の発射位置確認窓（窓部）３９が形成され、この発射位置確認窓３９には、不正な操作又は異物進入を防止するために、発射位置確認窓３９と略同形状に形成された透明樹脂製の遮蔽板４０が嵌合されている。また、上皿部材４の装飾カバー１５の内部には、図４に示すように、腰板１１の開口部３７と上受け皿１３の発射位置確認窓３９とを結ぶ位置に、発射側ミラー部材３１と同様の構成の窓側ミラー部材（第２の鏡体）４１が固定されている。
【００３０】
ここで、発射側ミラー部材（第１の鏡体）３１は、発射位置近傍を映した像を窓側ミラー部材（第２の鏡体）４１に向けて反射させるため、鏡面が発射位置近傍に向かう方向に対して特定の角度（例えば４５度）を成すように設け、また、窓側ミラー部材（第２の鏡体）４１は、発射側ミラー部材（第１の鏡体）３１に映る像を上皿部材２４上面の発射位置確認窓（窓部）３９に向けて反射させるため、鏡面が発射側ミラー部材（第１の鏡体）３１に向かう方向に対して特定の角度（例えば４５度）を成すように設ける。
【００３１】
この場合、発射側ミラー部材３１の鏡面に発射位置近傍が映り、窓側ミラー部材４１の鏡面に発射側ミラー部材３１の鏡面の像が映り、それを発射位置確認窓３９を介して外部から視認することができ、稼働状態にて発射位置近傍の状態を確認できる。その際、発射位置確認窓３９から見える像は、凸レンズ部材（レンズ体）３８によって拡大された像である。なお、凸レンズ部材３８に代えてレンズ体として凹レンズ部材を用いることもでき、その場合は、発射位置近傍の像が縮小されてより広範囲に視認できる。
【００３２】
また、この実施の形態は、発射位置近傍に臨む位置に、発射位置近傍を照らす照明装置を設けるようにでき、また、発射位置近傍を照らすよう外光を採り入れる採光窓を別途設けることができ、そうすることで、発射位置近傍がより明るくなり、一層正確な確認が可能となる。
【００３３】
図８および図９は、発射位置近傍を照らす照明装置を設けた変形例を示している。図８は発射機構および整流器の分解斜視図、図９は発射機構の正面図である。この例では、発射レール基板９上の発射位置近傍を照らすよう照明ランプ（照明装置）４２を設置し、この照明ランプ４２に電気を供給する配線コード（図示省略）を配して、照明ランプ４２の照明光が発射位置近傍を照らすよう構成している。
【００３４】
図１０〜図１３に本発明の応用例を示す。図１０は  この応用例に係る遊技機の正面図、図１１は同遊技機の正面側斜視図、図１２は、同遊技機上部の背面側斜視図、図１３は内部状態確認手段の鏡体取付構造を示す球タンクの斜視図である。
【００３５】
この応用例の遊技機は、やはりパチンコ機で、基本構成は上記実施の形態と同様である。そこで、上記実施の形態と共通する部分については、図に同じ符号を付すにとどめ、詳細な説明は省略する。
【００３６】
図１１〜図１３において、５１は、島設備から供給される遊技球を払い出し用として一時的に多数貯留するための球貯留空間を構成する球タンクであり、図１２において５２はタンクレール、５３はケースレールである。これら球タンク５１およびタンクレール５２、ケースレール５３が、前枠本体２の背面側に開閉可能に取り付けられた設けられた裏機構板５４に固定されている。
【００３７】
この応用例の形態の遊技機は、球タンク５１の球貯留状態を縮小して、前枠本体２の右上部分に設けた球タンク確認窓（窓部）５５からより広範囲に視認できるよう構成されている。
【００３８】
すなわち、図１３に示すように、球タンク５１の一側縁部に板状の取付基板５６が固定され、この取付基板５６の一側面に反射鏡５７が固定され、ミラー部材（鏡体）５８が形成されている。このミラー部材５８は、反射鏡５７の鏡面が球タンク５１が構成する球貯留空間の底部に対向し、反射鏡５７に写る像が球タンク確認窓５５から視認できるよう、反射鏡５７が球タンク５１の開口縁面に対して所定角度（約４５度）傾斜している。
【００３９】
球タンク確認窓５５は、前枠本体２の上辺部前面の装飾用の枠ランプ部材５９の右側であってミラー部材５８の反射鏡５７と対向する位置に貫通するよう形成され、この球タンク確認窓５５には、板状に成形された合成樹脂製の凹レンズ部材５９が嵌合されている。
【００４０】
この場合、ミラー部材５８の鏡面に球タンク内が映り、その映った像が、鏡体と対向するよう前枠本体２の上辺部前面に設けられた球タンク確認窓５５を介し遊技機外から視認可能となる。そして、通常の状態（前枠が閉じ、稼働可能となった状態）あるいは稼働状態において、例えばパチンコ島設備の球補給機構を構成する管状の補給部材（図示せず）と球タンク５１との位置関係、球タンク５１内に貯留される遊技球の状態（球詰まり状態や球切れ状態）などを確認できる。その際、球タンク確認窓５５から見える像は、凹レンズ部材５９により縮小された像である。なお、凹レンズ部材５９に代えてレンズ体として凸レンズ部材を用いることもでき、その場合は、発射位置近傍の像が拡大される。
【００４１】
また、この応用例は、球タンク確認窓５５から差込む光により照らされることにより球タンク５１内の貯留球状態を視認可能となるよう構成したものであるが、そのような構成以外に、図１４に示すように、ミラー部材５８の取付基盤５６に照明装置として照明ランプ６０を固定し、この照明ランプ６０に電気を供給する配線コード（図示省略）を配して、照明ランプ６０の照明光が球タンク５１内を照らすよう構成することもできる。図１４は内部状態確認手段の変形例の構成を示す球タンクの斜視図である。
【００４２】
なお、球タンク５１の球貯留状態を確認する構成に代え、球供給経路を構成するタンクレール５２、ケースレール５３等の内部の流動状況等を外部から確認するよう構成することもできる。
【００４３】
また、球タンク５１内を視認するための構成、あるいはタンクレール５２、ケースレール５３等の内部を視認するための構成において、鏡体として、第１の鏡体を球貯留空間あるいは球供給経路に対向する位置に設けるとともに、第２の鏡体を窓部より目視可能な位置に設け、球貯留空間あるいは球供給経路を第１の鏡体に映し、第１の鏡体に映る像を第２の鏡体に反射させて窓部を介し外部から視認可能とするようにしてもよい。
【００４４】
また、上記応用例では、ミラー部材（鏡体）５８が固定的に設けられているが、これ以外に、鏡体は、目視しようとする特定部位の位置に応じて任意の角度に動かせるよう構成することも可能である。
【００４５】
【発明の効果】
以上の説明から明らかなように、本発明の遊技機は、稼働状態で直接見ることができない発射位置近傍の状態を、通常の状態（前枠が閉じ、稼働可能となった状態）あるいは稼働状態において、鏡体の鏡面に映し出して外部から目視にて確認するようにでき、遊技者が不利益を受けるのを防止することができる。
【００４６】
そして、特に、発射機構により遊技機枠体前面の発射レール上に発射される遊技球の発射位置近傍を外部から視認できるよう構成することにより、打撃槌が発射球を叩打する状態、叩打された遊技球の発射状態や整流器から供給される遊技球の供給状態など、発射位置近傍の様子を、発射機構を動作させつつ目視にて確認することができる。そして、上皿部材の上面に設けた窓部から発射位置近傍の状態が見えるようにすることにより、遊技を行っている遊技者が発射操作を行いながら発射位置近傍の状態を視認可能となり、ファール球の発生や発射ムラなどの発射不良状態を遊技中の遊技者自らが確認することができ、稼動中のパチンコ機に生じた発射不良状態を遊技者がいち早く発見し、遊技店の店員に知らせて、発射機構を調整してもらうなど、迅速に対処でき、発射不良による遊技者の不利益を最小限に抑えることができる。
【図面の簡単な説明】
【図１】  本発明の実施の形態に係る遊技機のガラス枠および上皿部材を開放した状態の斜視図である。
【図２】  本発明の実施の形態に係る遊技機の内部状態確認手段の鏡体および開口部の位置を示す発射機構および整流器の分解斜視図である。
【図３】  本発明の実施の形態に係る遊技機の内部状態確認手段の鏡体の位置を示す発射機構の正面図である。
【図４】  本発明の形態に係る遊技機の内部状態確認手段の配置を示す要部分解斜視図である。
【図５】  本発明の実施の形態に係る遊技機の内部状態確認手段の鏡体の構造を示す前面側斜視図（ａ）、背面側斜視図（ｂ）および分解斜視図（ｃ）である。
【図６】  本発明の実施の形態に係る遊技機の内部状態確認手段の発射位置確認窓（窓部）の配置を示す上皿部材の上面図（ａ）および発射位置確認窓の拡大図（ｂ）である。
【図７】  本発明の実施の形態に係る遊技機の内部状態確認手段の開口部を設けた上皿部材の正面図（ａ）および背面図（ｂ）である。
【図８】  本発明の実施の形態に係る遊技機の内部状態確認手段の変形例の構成を示す発射機構および整流器の分解斜視図である。
【図９】  本発明の実施の形態に係る遊技機の内部状態確認手段の変形例の構成を示す発射機構の正面図である。
【図１０】  応用例に係る遊技機の正面図である。
【図１１】  応用例に係る遊技機の正面側斜視図である。
【図１２】  応用例に係る遊技機上部の背面側斜視図である。
【図１３】  応用例に係る遊技機の内部状態確認手段の鏡体取付構造を示す球タンクの斜視図である。
【図１４】  応用例に係る遊技機の内部状態確認手段の変形例の構成を示す球タンクの斜視図である。
【符号の説明】
２  前枠本体（遊技機枠体）
４  上皿部材
８  発射レール
９  発射レール基板
１１  腰板
１２  整流器
１３  上受け皿
１５  装飾カバー部材
２１  コイルバネ
２２  打撃槌
２３  発射ハンドル
２４  発射機構
３１  発射側ミラー部材（第１の鏡体）
３２  取付本体
３３  反射鏡
３７  開口部
３８  凸レンズ部材（レンズ体）
３９  発射位置確認窓（窓部）
４０  透明樹脂製の遮蔽板
４１  窓側ミラー部材（第２の鏡体）
４２  照明ランプ
５１  球タンク
５２  タンクレール
５３  ケースレール
５４  裏機構板
５５  球タンク確認窓（窓部）
５６  取付基板
５７  反射鏡
５８  ミラー部材（鏡体）
５９  凹レンズ部材（レンズ体）
６０  照明ランプ
【図１】
0003817195.tif 000002
【図２】
0003817195.tif 000003
【図３】
0003817195.tif 000004
【図４】
0003817195.tif 000005
【図５】
0003817195.tif 000006
【図６】
0003817195.tif 000007
【図７】
0003817195.tif 000008
【図８】
0003817195.tif 000009
【図９】
0003817195.tif 000010
【図１０】
0003817195.tif 000011
【図１１】
0003817195.tif 000012
【図１２】
0003817195.tif 000013
【図１３】
0003817195.tif 000014
【図１４】
0003817195.tif 000015